(57)【要約】    【課題】      複数の番組またはチャンネルに跨る録画を行う場合に、その変化点情報を、実際に番組を再生する前にユーザが確認できるようにすること。    【解決手段】  デジタル放送受信装置１０では、記録部２０に対し録画を開始すると、変更情報設定部６は、コントローラ８より録画開始の指示を受けて、最初の録画番組の開始時刻を記憶すると共に、録画番組を構成するＴＳパケットのＥＩＴ、ＰＭＴの更新および録画停止の監視を行う。コントローラ８から録画停止の通知があったり、ＴＳパケットのＥＩＴ内の番組名や、ＰＭＴ内の番組構成が変更された場合には、現在の番組の開始/終了時刻を記録部２０の番組情報記憶領域に書き込むためデジタルインタフェース信号変換回路７を介して記録部２０に対して送信して書き込む。  【選択図】      図１
2007027934.tif 000002
【特許請求の範囲】
【請求項１】
複数のチャンネルからなるデジタル放送の番組を受信して復号し、復号した番組をデジタルインタフェース信号に変換して記録部に供給するデジタル放送受信装置であって、
前記デジタル放送を受信する受信手段と、
受信された前記デジタル放送を番組毎に分離すると共に、前記番組の変更を検出する番組分離手段と、
前記番組分離手段により分離された前記番組を復号する復号手段と、
前記番組分離手段により検出された前記番組の変更に基づいて変更情報を設定する変更情報設定手段と、
前記復号された番組と前記変更情報とをデジタルインタフェース信号に変換して前記記録部に供給するデジタルインタフェース信号変換手段と、
を有することを特徴とするデジタル放送受信装置。
【請求項２】
請求項１記載のデジタル放送受信装置において、
前記番組分離手段は、前記番組の変更として、前記番組を構成するＴＳパケットに含まれるＰＭＴ内の番組構成の変化点、または現在番組と次番組の情報を含むＥＩＴ内の番組の変化点を検出し、
前記変更情報設定手段は、前記番組の変更に基づいて前記番組間の切り替わり目を示す前記変更情報を設定する、ことを特徴とするデジタル放送受信装置。
【請求項３】
請求項１記載のデジタル放送受信装置において、
前記番組分離手段は、前記番組の変更として、前記番組の途中でチャンネルが切り替わるイベントリレー番組におけるイベントリレーが発生した時点を検出し、
前記変更情報設定手段は、前記番組の変更に基づいて前記番組の途中におけるチャンネルの切り替わり目を示す前記変更情報を設定する、ことを特徴とするデジタル放送受信装置。
【請求項４】
請求項１〜３のいずれかの請求項に記載のデジタル放送受信装置において、
前記記録部を内蔵したことを特徴とするデジタル放送受信装置。
【発明の詳細な説明】
【技術分野】
【０００１】
本発明は、複数のチャンネルからなるデジタル放送の放送番組を受信して復号し、復号した放送番組を、例えば、ＩＥＥＥ１３９４ハイ・パフォーマンス・シリアルバス等のデジタルバスインタフェースに準拠したデジタルインタフェース信号に変換して、デジタルバスインタフェースを介して記録部に供給するデジタル放送受信装置に関する。
【背景技術】
【０００２】
デジタル放送では、ＭＰＥＧ２方式で圧縮された複数プログラムの映像音声デジタルデータを、番組情報、限定受信情報などとともにトランスポートストリーム（ＴＳ）という形態で多重化して伝送している。
【０００３】
デジタル放送受信装置では、その多重化されたトランスポートストリームから、ユーザが所望する特定のチャンネルの映像音声データを選択してＭＰＥＧデコードすることにより、アナログ映像/音声としてユーザに提示する。
【０００４】
映像音声データと共に伝送されている番組情報には、そのチャンネルで現在放送されている番組の情報だけでなく、将来放送される予定の番組の情報が含まれているため、それらの情報を電子番組ガイド（ＥＰＧ）としてＯＳＤで表示しユーザに提示することができる。また、ユーザが特定の番組を録画したい場合、電子番組ガイドからその番組を選択することによって行うことも可能となる。
【０００５】
圧縮された映像音声デジタルデータを、デジタルＶＣＲなどデジタルストリームをそのまま記録できる記録部を用いて録画すれば、復号後の信号をアナログＶＣＲで記録するよりも、効率よくかつ画質劣化することなく録画することができる。またデジタル放送の特徴である番組情報などの付加情報も同時に記録可能なため、再生時にもその情報が利用可能となる。
【０００６】
更に、ＡＶＨＤＤなどのランダムアクセス可能なディスクメディアを使用する記録部では、上記デジタルストリームだけでなく、録画した番組の番組名などの情報を別の記憶領域に録画した番組と関連付けて記録することができる。
【０００７】
デジタルＶＣＲとデジタル放送受信装置などのデジタルＡＶ機器を相互接続して、デジタルストリーム、および、機器間の制御コマンドを送受信するインタフェースとして、「ＩＥＥＥ１３９４ハイ・パフォーマンス・シリアルバス」（以下、ＩＥＥＥ１３９４と略記する）がある。
【０００８】
ＩＥＥＥ１３９４は、２種類のデータ転送モードを備えている。通常のデータ転送に使用するアシンクロナス（Asynchronous）転送モードと、所定の時間（例えば１２５マイクロ秒）内にデータ転送されることが保証されているアイソクロナス（Isochronous）転送モードがある。マルチメディアシステムでは、アシンクロナス転送モードは転送の時間遅れがあまり問題にならないコマンドなどの転送に、アイソクロナス転送モードは時間遅れが問題となる動画や音声データなどの転送に用いられる。
【０００９】
例えば、デジタル放送受信装置で受信したデジタル放送を、デジタル放送受信装置で制御しながらデジタルＶＣＲなどのデジタル記録部に録画する場合には、映像音声などを含むデジタルストリームはアイソクロナス転送でデジタル放送受信装置からデジタル記録部に送り、録画モードの切り換え、録画開始、停止などの制御パケットはアシンクロナス転送で送信することになる。また、ディスク機器への録画番組情報の書き込み制御パケットもアシンクロナス転送で送信する。
【００１０】
ところで、従来より、例えば、ある放送局の番組を一定時間記録したときに、その時間中に複数の番組が放送された場合でも、記録されているコンテンツの記述をコンテンツに合わせた番組名称又は放送局名称で記述するようにして、ユーザの意図に従った番組表示をするようにしたデジタル放送受信装置がある（例えば、特許文献１参照）。
【特許文献１】特開２００２−２７３８０号公報
【発明の開示】
【発明が解決しようとする課題】
【００１１】
電子番組ガイドなどからユーザが特定の１番組を選択して録画を実行する場合には、ディスクメディアに書き込む番組情報記憶領域には、ユーザが指定した番組の番組情報を書き込めば良いことになる。
【００１２】
一方、ユーザがチャンネルと時間を指定して録画予約を行うアプリケーションや、現在視聴しているチャンネルをすぐに録画開始し、一定の時間後にユーザの指示によりその録画を停止するようなアプリケーションを提供するデジタル放送受信装置も存在する。その場合、録画実行中の時間帯には、複数の番組が含まれることがある。
【００１３】
従来、このような場合、２番目以降の番組を含めて１つの番組（ＡＶオブジェクト）として記録し、番組情報記憶領域には番組の切り替わり目情報を記録していなかったので、実際に録画した番組情報を再生して、番組の切り替わり目まで到達しないと、番組の切り替わり目を確認できないことになる。
【００１４】
また、イベントリレーの番組をユーザが選択して録画を実行する場合には、リレーを含めて１つの番組として記録するので、チャンネルを跨いでリレーする可能性があるが、その変化点も確認することができない。
【００１５】
また、前記特許文献１の従来技術では、例えば、ユーザがチャンネルと時間を指定して録画する場合、放送局名は記録できるが、番組の切れ目等の変化点情報を番組情報領域に記録しないので、ランダムアクセス可能な番組情報領域の情報を用いて、番組の切り替わり目を再生前に確認することができない、という問題がある。
【００１６】
本考案は、かかる点を解決するためのもので、複数の番組またはチャンネルに跨るイベントリレー番組の録画を行う場合に、それらの番組の変更を、実際に番組を再生する前にユーザが確認することができるデジタル放送受信装置を提供することを目的とする。
【課題を解決するための手段】
【００１７】
上記課題を解決するため、本発明のデジタル放送受信装置では、複数のチャンネルからなるデジタル放送の番組を受信して復号し、復号した番組をデジタルインタフェース信号に変換して記録部に供給するデジタル放送受信装置であって、前記デジタル放送を受信する受信手段と、受信された前記デジタル放送を番組毎に分離すると共に、前記番組の変更を検出する番組分離手段と、前記番組分離手段により分離された前記番組を復号する復号手段と、前記番組分離手段により検出された前記番組の変更に基づいて変更情報を設定する変更情報設定手段と、前記復号された番組と前記変更情報とをデジタルインタフェース信号に変換して前記記録部に供給するデジタルインタフェース信号変換手段と、を有する。
【００１８】
また、上記デジタル放送受信装置において、前記番組分離手段は、前記番組の変更として、前記番組を構成するＴＳパケットに含まれるＰＭＴ内の番組構成の変化点、または現在番組と次番組の情報を含むＥＩＴ内の番組の変化点を検出し、前記変更情報設定手段は、前記番組の変更に基づいて前記番組間の切り替わり目を示す前記変更情報を設定する。
【００１９】
また、上記デジタル放送受信装置において、前記番組分離手段は、前記番組の変更として、前記番組の途中でチャンネルが切り替わるイベントリレー番組におけるイベントリレーが発生した時点を検出し、前記変更情報設定手段は、前記番組の変更に基づいて前記番組の途中におけるチャンネルの切り替わり目を示す前記変更情報を設定する。
【００２０】
また、上記デジタル放送受信装置において、前記記録部を内蔵したものである。
【発明の効果】
【００２１】
以上のように、本発明によれば、番組を指定しない録画またはイベントリレー録画を行う場合でも、録画の開始時点から録画の終了時点までの間における番組の変更、例えば、番組の切り替わり目、あるいは、イベントリレーの発生を検出し、その検出に基づいて変更情報を記録部に記録するようにしたので、記録部に録画した番組情報を再生しなくても、録画番組の切り替わり目を取り出すことが可能となり、所望の番組変化点から直接再生開始できるなど、再生時のユーザの利便性が向上するという効果が得られる。
【発明を実施するための最良の形態】
【００２２】
実施の形態１．
図１に、本発明のデジタル放送受信装置１０の実施の形態の構成の一例を示す。
【００２３】
図１において、本発明のデジタル放送受信装置１０の実施の形態は、ＮＩＭ（ネットワーク・インタフェース・モジュール）１、デスクランブラ２、ＭＰＥＧ  ＴＳデマルチプレクサ３、ＭＰＥＧデコーダ４、ＯＳＤ重畳回路５、変更情報設定部６、デジタルインタフェース信号変換回路７、およびコントローラ８を有しており、デジタルバスインタフェース９を介して記録部２０に接続されている。
【００２４】
ＮＩＭ１は、チューナー、デジタル復調、誤り訂正など伝送系の信号処理の機能を有するもので、その出力は、トランスポートストリーム（ＴＳ）となる。
【００２５】
デスクランブラ２は、特定のトランスポートストリームパケットにスクランブルが施されている場合には、コントローラ８の指示により、デスクランブルするものである。デスクランブラ２の出力である放送信号のトランスポートストリームには、複数の番組の圧縮された映像音声信号と番組名などの付加情報が、１８８バイトのトランスポートストリームパケット（ＴＳパケット）という単位で多重化されている。
【００２６】
ＴＳパケットは、ある番組の映像、音声のエレメンタリーストリーム（ＥＳ）を含むパケットと、デジタル放送に含まれる番組（プログラム）の一覧等を示すＰＡＴ（Program Association Table：プログラムアソシエーションテーブル）や、ある番組（プログラム）を構成する画像パケットや音声パケットなどのＰＩＤを格納したＰＭＴ（Program Map Table：プログラムマップテーブル）などのＰＳＩ（Program Specific Information：番組特定情報）、現在番組情報（Present）や次番組情報（following）等の番組名や放送日時、放送内容など、番組に関連する番組詳細情報を含むＥＩＴ（Event Information Table）などの番組配列情報（ＳＩ：Service Information）等のパケットとが時分割多重されている。
【００２７】
ＭＰＥＧ  ＴＳデマルチプレクサ３は、そのＴＳパケットに含まれるＰＡＴ、ＰＭＴなどを抽出し、その情報に基づき、コントローラ８からの指示により、ある１番組に関連する映像音声ストリームのＴＳパケットを特定し、ＭＰＥＧデコーダ４に渡すものである。また、デジタルバスインタフェース９を有するデジタル放送受信装置１０のＭＰＥＧ  ＴＳデマルチプレクサ３では、上記機能に加えて、特定のチャンネルに関連する情報を選択しデジタルインタフェース信号変換回路７を介して出力する機能を有する。
【００２８】
ＭＰＥＧデコーダ４は、その映像音声のストリームをデコードし出力するものである。
【００２９】
ＯＳＤ重畳回路５は、現在視聴している番組の番組名や、電子番組ガイドなどを映像信号に重畳して図示しない表示部等に表示するものである。ＯＳＤ重畳回路５で表示する情報は、コントローラ８からの指示によりＭＰＥＧ  ＴＳデマルチプレクサ３から上記番組配列情報を抽出して得られるもの等である。
【００３０】
変更情報設定部６は、特定のチャンネルを指定する録画中、ＭＰＥＧ  ＴＳデマルチプレクサ３からＴＳパケットに含まれるＥＩＴまたはＰＭＴの更新情報を受け取り、ＥＩＴから番組情報、ＰＭＴから番組構成情報を抽出し、その変化点によって、記録部２０に対してその録画番組の番組分割情報を書き込むためのＩＥＥＥ１３９４インタフェースパケットを生成するものである。また、イベントリレー録画中に、ＥＩＴの更新情報を受け取り、そのイベント情報を解析し、イベントリレーが発生した時にも同様に番組分割情報を書き込むためのＩＥＥＥ１３９４インタフェースパケットを生成する。なお、ここでは、番組の切り替わり目として、例えば、番組を構成するＴＳパケットに含まれるＰＭＴ内の番組構成の変化点、または現在番組（Present）と次番組（following）の情報を含むＥＩＴ内の番組の変化点を検出する。
【００３１】
デジタルインタフェース信号変換回路７は、ＭＰＥＧ  ＴＳデマルチプレクサ３からの特定のチャンネルに関連する情報のみになったトランスポートストリームをＩＥＥＥ１３９４インタフェースのアイソクロナスパケットに変換して１３９４バス上に出力するものである。また、変更情報設定部６からの番組分割情報書き込みパケットをＩＥＥＥ１３９４インタフェースのアシンクロナスパケットに変換して出力するものである。
【００３２】
コントローラ８は、前記の処理部、すなわち、ＮＩＭ１、デスクランブラ２、ＭＰＥＧ  ＴＳデマルチプレクサ３、ＭＰＥＧデコーダ４、ＯＳＤ重畳回路５、変更情報設定部６、デジタルインタフェース信号変換回路７を統合管理して、デジタル放送受信装置１０の機能を実現するものである。
【００３３】
次に動作を説明する。
【００３４】
まず、本実施の形態１のデジタル放送受信装置１０により通常の視聴が行われる場合には、デジタル放送受信装置１０において、コントローラ８からの視聴指示により、ＮＩＭ１がデジタル放送を受信し、デスクランブラ２にて必要あればデスクランブルして、ＭＰＥＧ  ＴＳデマルチプレクサ３にてデマルチプレクスを行い、ＭＰＥＧデコーダ４にて映像データや音声データ等に復号され、映像データはＯＳＤ重畳回路５を介して図示しない表示部にて表示されたり、図示しないスピーカより出力される
【００３５】
次に、本実施の形態１のデジタル放送受信装置１０により番組録画が行われる場合について説明する。
【００３６】
図２は、本実施の形態１の変更情報設定部６による番組分割情報記憶処理を示すフローチャートである。
【００３７】
この場合、デジタル放送受信装置１０では、コントローラ８からの録画指示により、ＭＰＥＧ  ＴＳデマルチプレクサ３がデマルプレクスしたデータデジタルインタフェース信号変換回路７へ出力して、記録部２０に対し録画を開始すると（ステップ１１０）、変更情報設定部６は、コントローラ８からの録画開始の指示を受けて、最初の録画番組の開始時刻を記憶する（ステップ１２０）。具体的には、録画開始時の番組のＴＳパケットのＥＩＴから番組名を取得し、ＰＭＴから番組構成情報、すなわちその番組を構成するビデオデータや、オーディオデータ、テキストデータ等のコンポーネントの数や構成を取得して記憶する。
【００３８】
次に、ステップ１３０により、変更情報設定部６は、録画番組を構成するＴＳパケットのＥＩＴ、ＰＭＴの更新および録画停止の監視を行う処理を開始する。ここで、ＥＩＴ、ＰＭＴの更新は、本実施の形態１のＭＰＥＧ  ＴＳデマルチプレクサ３には、番組を構成するＴＳパケットのＥＩＴ、ＰＭＴの更新（変更）を監視するように設定することにより、ＥＩＴ、ＰＭＴが更新された時に変更情報設定部６にその通知が行われるので、これによりＥＩＴ、ＰＭＴの更新を監視して、番組が切り替わったことを知るようにしている。また、録画の停止は、ユーザがデジタル放送受信装置１０に録画停止を指示した時、もしくは、時間指定の予約録画の場合にはその録画時間が過ぎた時に、コントローラ８から通知されるものとする。
【００３９】
そして、変更情報設定部６は、番組を構成するＴＳパケットのＥＩＴ、ＰＭＴの更新や、録画停止の通知を受け取った時に、ステップ１４０からステップ１９０の処理を行う。
【００４０】
つまり、変更情報設定部６は、ステップ１４０でコントローラ８から録画停止の通知かどうかを判断し、録画停止の通知であった場合には（ステップ１４０“Ｙｅｓ”）、次のステップ１５０により、現在の番組の開始/終了時刻を記録部２０の番組情報記憶領域に書き込む。これは、番組の開始/終了時刻情報を記録部２０の番組情報記憶領域に書き込むため、デジタルインタフェース信号変換回路７にてデジタルインタフェース信号に変換してＩＥＥＥ１３９４アシンクロナスパケットを生成し、デジタルバスインタフェース９を介して記録部２０に対して送信することにより実現される。なお、この場合、番組開始時刻は、ステップ１２０により記憶しておいた番組の開始時刻であり、番組終了時刻は、録画停止時刻となる。
【００４１】
一方、録画停止の通知ではない場合には（ステップ１４０“Ｎｏ”）、続いてステップ１６０に進み、ＭＰＥＧ  ＴＳデマルチプレクサ３より送信されるＴＳパケットのＥＩＴ内の番組名が変更されたか否かを判断する。
【００４２】
つまり、変更情報設定部６は、ＭＰＥＧ  ＴＳデマルチプレクサ３より送信されるＴＳパケットのＥＩＴが更新されているか否かを、そのＥＩＴから番組名を抽出して、直前の番組名と比較する（ステップ１６０）。ＥＩＴの番組名が変わっていない、すなわち番組名が同じであった場合には（ステップ１６０“Ｎｏ”）、ステップ１９０に進む。
【００４３】
これに対し、ＥＩＴ内の番組名が変わっていた場合には（ステップ１６０“Ｙｅｓ”）、録画している番組の切り替わり目であると認識して、ステップ１７０により、現在の番組の開始/終了時刻を記録部２０の番組情報記憶領域に書き込み、ステップ１８０により新しい番組の開始時刻を記憶する。なお、この場合、番組開始時刻は、ステップ１２０により記憶しておいた番組の開始時刻であり、番組終了時刻とは、ＥＩＴ内の番組名が変わった時刻となる。
【００４４】
ステップ１９０では、変更情報設定部６は、ＰＭＴが更新された場合にそのＰＭＴから番組構成情報（コンポーネントの数、構成）を抽出し、直前の番組構成情報と比較して、ＰＭＴ内の番組構成が変わったか否かを判断する。ＰＭＴ内の番組構成に変更が無い場合には（ステップ１９０“Ｎｏ”）、ステップ１４０に戻る一方、番組構成情報が変わっていた場合には（ステップ１９０“Ｙｅｓ”）、録画している番組の切り替わり目であると認識し、ステップ１７０へ進み、現在の番組の開始/終了時刻を記録部２０の番組情報記憶領域に書き込み、ステップ１８０により新しい番組の開始時刻を記憶する。なお、この場合、番組開始時刻は、ステップ１２０により記憶しておいた番組の開始時刻であり、番組終了時刻とは、ＰＭＴ内の番組構成等が変わった時刻となる。
【００４５】
図３は、本実施の形態１において変更情報設定部６によって記録部２０の番組情報領域に書き込まれる変更情報の一例を示している。
【００４６】
ここで、記録部２０の録画番組情報領域は、記録部２０のディスク等に記録される番組データの記録領域とは別の記録領域である。
【００４７】
図３において、記録部２０の番組情報記録領域に記録される番組のリストは、root contents list ３００と呼ばれ、デジタルインタフェース信号変換回路７によるデジタルインタフェース信号変換後のＩＥＥＥ１３９４アシンクロナス転送で、このリストを読み出し/書き込みできる。root contents list ３００の中にはobject entry３１０が複数含まれ、これが再生可能な一単位となり、通常一つの番組が１つのオブジェクトとなる。
【００４８】
object entry３１０の中には、複数のinfo block３２０が含まれ、そのオブジェクトに関連する様々な情報が記録されている。例えば、番組名、チャンネル名などの情報がそれぞれinfo block３２０という構造で記録される。そのinfo block ３２０の一つとして、segment marker info block３３０があり、このsegment marker info block３３０に変更情報を記録する。
【００４９】
segment marker info block３３０の中には、複数のSegment marker entry３４０が含まれ、それぞれが分割された番組の情報を持つ。ここに、変更情報設定部６が変更情報として番組の開始または終了時刻を記述することにより、各番組の開始位置および終了位置を特定できる。
【００５０】
このroot contents list３００は、実際にディスク上の録画番組のデータを再生しなくても読み出し可能な番組のリスト情報であり、番組の切り替わり目として記録された番組開始または終了時刻の分割情報を再生前に予め読み出すことが可能となり、特定の番組から再生を開始することが可能となる。
【００５１】
このように、本実施の形態１によれば、番組を指定しない録画等を行う場合でも、録画の開始時点から録画の終了時点まで、番組の切り替わりを番組の変更として検出し、その切り替わり目である開始時刻や終了時刻を示す変更情報をディスクメディアの番組情報記憶領域に記録するようにしたので、ディスク上に録画した番組情報を再生しなくても、録画番組の切り替わり目を予め取り出すことが可能となり、所望の番組変化点から直接再生開始できるなど、再生時のユーザの利便性が向上するという極めて重要な効果が得られる。
【００５２】
なお、本実施の形態１では、変更情報設定部６は、番組を指定しない録画だけでなく通常の録画の場合でもコントローラ８からの指示により動作するように説明したが、これに限らず、番組を指定しない録画、例えば、時間とチャンネルのみを指定した録画や、ユーザの好みの番組ジャンルやキーワードを入力しておきユーザの好みに応じた番組の録画等の場合のみ動作するようにしても勿論良い。
【００５３】
実施の形態２．
次に、本発明のデジタル放送受信装置１０の実施の形態２について説明する。実施の形態１では、番組を指定しない場合の録画等について説明したが、実施の形態２では、イベントリレー番組について録画を行うイベントリレー録画の場合について説明する。なお、構成自体は、図１に示す実施の形態１のものと同じであるので、図１の構成を参照して、イベントリレー録画中の番組分割情報記憶処理について説明する。
【００５４】
ここで、イベントリレー番組について説明すると、例えば、高校野球中継が延伸した時のように、番組（イベント）を異なるチャンネル（サービスＩＤ）で継続して放送する場合、あるいは、生放送が定時に終了できない場合にサービスＩＤの異なる臨時サービスで元の放送の延伸サービスとして継続させる番組形態をイベントリレーといい、このような番組をイベントリレー番組という。イベントリレー録画では、同一サービスの異なるイベント、異なるサービスのイベントなどに切り換わる運用が可能である。つまり、イベントリレー番組を予約録画する場合、自動的にイベントに追従して、必要ならチャンネルを切り換えて、録画しなければならない。
【００５５】
図４は、実施の形態２の変更情報設定部６の番組分割情報記憶処理を示すフローチャートである。
【００５６】
図４のイベントリレー録画中の番組分割情報記憶処理では、ステップ２１０により録画を開始し、ステップ２２０により最初の番組の開始時刻を記憶し、ステップ２３０によりＥＩＴの更新、録画の停止を監視する処理を開始し、ステップ２４０により録画を停止したか否かを判断する。なお、ここでは、イベントリレー録画の場合、チャンネル自体は変更しても、番組自体は変更しないので、実施の形態１の場合とは異なり、ＰＭＴの更新等は検出しないが、図２に示す実施の形態１のフローチャートのように、受信番組を構成するＴＳパケットのＥＩＴの更新だけでなく。ＰＭＴの更新等も検出するようにしても勿論よい。
【００５７】
ここで、録画停止の通知がない場合は（ステップ２４０“Ｎｏ”）、本実施の形態２ではＴＳパケットのＥＩＴからevent group descriptorを抽出して、イベントリレーが発生したか否かを判断する（ステップ２６０）。
【００５８】
そして、ＥＩＴから抽出したevent group descriptorのgroup typeがイベントリレータイプであれば、イベントリレーが発生したと考え（ステップ２６０“Ｙｅｓ”）、コントローラ８は、現在視聴している番組のチャンネル等が切り替わったと判断して同番組を継続視聴するために適切なチャンネルを選局すると共に、番組分割情報設定部６は、録画している番組の切り替わり目であると認識して、ステップ２７０へ進み、図２に示す実施の形態１の番組分割情報記憶処理と同様に、ステップ２７０により、現在の番組の開始/終了時刻をデジタルインタフェース信号変換回路７を介して記録部２０の番組情報記憶領域に書き込み、ステップ２８０により新しい番組の開始時刻を記憶する。
【００５９】
なお、録画停止の通知がなく（ステップ２４０“Ｎｏ”）、また、イベントリレーが発生していない場合には（ステップ２６０“Ｎｏ”）、ステップ２４０の処理に戻る。
【００６０】
このように、本実施の形態２によれば、イベントリレー番組の録画を行う場合でも、イベントリレー番組の録画の開始時点から録画の終了時点までの間におけるイベントリレーの発生を検出し、その発生時刻を示す変更情報を記録部２０のディスク等における録画番組データの記憶領域とは別の番組情報記憶領域に記録するようにしたので、ディスク上に録画した番組情報を再生しなくても、録画番組の切り替わり目を予め取り出すことが可能となり、所望の番組の切り替わり目から直接再生開始できるなど、再生時のユーザの利便性が向上するという極めて重要な効果が得られる。
【００６１】
なお、本実施の形態２では、イベントリレー番組の録画だけでなく通常の録画の場合でも気温とローラ８からの指示により動作するように説明したが、これに限らず、イベントリレー番組の録画の場合のみ動作するようにしても勿論良い。
【００６２】
また、以上の実施の形態１，２の説明では、デジタル放送受信装置１０は、記録部２０とはデジタルバスインタフェース９を介して接続した別の装置で説明したが、本発明では、これに限らず、デジタル放送受信装置１０が記録部２０を内蔵するようにしても勿論よい。
【産業上の利用可能性】
【００６３】
本発明は、番組を指定しない録画またはイベントリレー録画を行う場合に、番組の切り替わり目、あるいは、イベントリレーの発生等の番組の変更を検出し、その変更に基づいて番組の切り替わり目やイベントリレーの発生等を示す変更情報を記録部の番組情報記憶領域に記録するようにしたので、例えば、ＩＥＥＥ１３９４ハイ・パフォーマンス・シリアルバス等のデジタルバスインタフェースを介して記録部に録画番組を記録するデジタル放送受信装置、例えば、大容量のＨＤＤ記録部やメモリ記録部を備え、番組を指定しない録画、例えば、時間とチャンネルのみを指定した録画や、ユーザの好みの番組ジャンルやキーワードを入力しておきユーザの好みに応じた番組をＨＤＤ記録部やメモリ記録部に録画等したり、デジタル放送の受信機能を有するセットトップボックス等のデジタル放送受信装置や、ディスプレイも併せて有するデジタルＴＶ等のデジタル放送受信装置、さらにはＨＤＤ記録部などの記録部を内蔵したデジタル放送受信装置に有用である。
【図面の簡単な説明】
【００６４】
【図１】本発明のデジタル放送受信装置の構成の一例を示すブロック図である。
【図２】実施の形態１の変更情報設定部による番組分割情報記憶処理を示すフローチャートである。
【図３】実施の形態１において変更情報設定部によって記録部の番組情報領域に書き込まれる変更情報の一例を示す図である。
【図４】実施の形態２の変更情報設定部６の番組分割情報記憶処理を示すフローチャートである。
【符号の説明】
【００６５】
１  ＮＩＭ（受信手段）
２  デスクランブラ
３  ＭＰＥＧ  ＴＳデマルチプレクサ（番組分離手段）
４  ＭＰＥＧデコーダ（復号手段）
５  ＯＳＤ重畳回路
６  変更情報設定部（変更情報設定手段）
７  デジタルインタフェース信号変換回路（デジタルインタフェース信号変換手段）
８  コントローラ
９  デジタルバスインタフェース
【図１】
2007027934.tif 000003
【図２】
2007027934.tif 000004
【図３】
2007027934.tif 000005
【図４】
2007027934.tif 000006